(57)【特許請求の範囲】
【請求項１】
基地局（ＢＳ）によるワイヤレス通信のための方法であって、
位置決め基準信号（ＰＲＳ）を送信するための時間周波数リソースのセットを決定するために使用される少なくとも１つのパラメータをランダムに選択することと、
前記少なくとも１つのパラメータに少なくとも基づいて、前記時間周波数リソースのセットを決定することと、
前記決定された時間周波数リソースのセットにおいてＰＲＳを送信することと、
を備え、
前記少なくとも１つのパラメータは、シード値を用いて初期化された乱数生成器によって生成された値を使用してランダムに選択され、
前記ＰＲＳを送信する前に、ユーザ機器（ＵＥ）に前記シード値を提供することをさらに備え、
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定され、
前記ＰＲＳオフセットの値は、前記ストライドパターンのサイズに対応する値のセットからランダムに選択される、方法。
【請求項２】
前記シード値は、支援データとともに前記ＵＥに提供され、前記支援データは、１つまたは複数の近隣基地局のリスト、および観測された到着時間差（ＯＴＤＯＡ）支援データを備える、
請求項１に記載の方法。
【請求項３】
ＰＲＳを送信するための前記時間周波数リソースのセットは、サブフレーム毎またはＰＲＳ機会毎に、異なる時間周波数リソースを備える、請求項１に記載の方法。
【請求項４】
前記少なくとも１つのパラメータは、ビットのシーケンスを有するミュートパターンを備え、各ビットは、前記ＰＲＳが、対応するＰＲＳ機会において送られるかどうかを示し、
前記ミュートパターンの長さは、前記ＢＳが、前記ＰＲＳを、ターゲット値のデューティサイクルで、一連のＰＲＳサブフレームによって送信するように選択される、
請求項１に記載の方法。
【請求項５】
ユーザ機器（ＵＥ）によるワイヤレス通信のための方法であって、
基地局（ＢＳ）からの位置決め基準信号（ＰＲＳ）のための測定のために、時間周波数リソースのセットを決定するために使用される少なくとも１つのパラメータをランダムに選択することと、
前記時間周波数リソースのセットにおいて前記ＰＲＳを測定することと、
を備え、
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定され、
前記ＰＲＳオフセットの値は、前記ストライドパターンのサイズに対応する値のセットからランダムに選択される、方法。
【請求項６】
前記少なくとも１つのパラメータは、シード値を用いて初期化された乱数生成器によって生成された値を使用してランダムに選択される、請求項５に記載の方法。
【請求項７】
前記ＰＲＳを受信する前に、前記ＢＳから前記シード値を受信することをさらに備え、
前記シード値は、支援データとともに受信され、前記支援データは、１つまたは複数の近隣基地局のリスト、および観測された到着時間差（ＯＴＤＯＡ）支援データを備える、請求項６に記載の方法。
【請求項８】
前記シード値は、前記ＢＳの物理セルＩＤ（ＰＣＩＤ）、システムフレーム番号、または日時のうちの少なくとも１つに基づく、請求項６に記載の方法。
【請求項９】
前記時間周波数リソースのセットは、１つまたは複数のＰＲＳサブフレームの少なくとも１つの直交周波数分割多重（ＯＦＤＭ）シンボル期間に、１つまたは複数の周波数トーンを備える、請求項５に記載の方法。
【請求項１０】
前記少なくとも１つのパラメータは、ビットのシーケンスを有するミュートパターンを備え、各ビットは、前記ＰＲＳが、対応するＰＲＳ機会において送られるかどうかを示す、
請求項５に記載の方法。
【請求項１１】
１つまたは複数の他のＢＳからのＰＲＳから、前記測定されたＰＲＳの到着時間（ＴＯＡ）差を推定すること、をさらに備える、
請求項５に記載の方法。
【請求項１２】
前記ＰＲＳを測定するための前記時間周波数リソースのセットは、サブフレーム毎またはＰＲＳ機会毎に、異なる時間周波数リソースを備える、請求項５に記載の方法。
【請求項１３】
ワイヤレス通信のための装置であって、
位置決め基準信号（ＰＲＳ）を送信するための時間周波数リソースのセットを決定するために使用される少なくとも１つのパラメータをランダムに選択するための手段と、
前記少なくとも１つのパラメータに少なくとも基づいて、前記時間周波数リソースのセットを決定するための手段と、
前記決定された時間周波数リソースのセットにおいて前記ＰＲＳを送信するための手段と、
を備え、
前記少なくとも１つのパラメータは、シード値を用いて初期化された乱数生成器によって生成された値を使用してランダムに選択され、
前記装置は、前記ＰＲＳを送信する前に、ユーザ機器（ＵＥ）に前記シード値を提供するための手段をさらに備え、
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、装置。
【請求項１４】
ワイヤレス通信のための装置であって、
基地局（ＢＳ）からの位置決め基準信号（ＰＲＳ）のための測定のために、時間周波数リソースのセットを決定するために使用される少なくとも１つのパラメータをランダムに選択するための手段と、
前記時間周波数リソースのセットにおいて前記ＰＲＳを測定するための手段と、
を備え、
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、装置。
【請求項１５】
前記少なくとも１つのパラメータは、シード値を用いて初期化された乱数生成器によって生成された値を使用してランダムに選択される、請求項１４に記載の装置。
【請求項１６】
前記少なくとも１つのパラメータは、ビットのシーケンスを有するミュートパターンを備え、各ビットは、ＰＲＳが、対応するＰＲＳ機会において送られるかどうかを示す、請求項１４に記載の装置。
【請求項１７】
請求項１乃至１２のいずれか１項に記載の方法を実行するための命令を備える、コンピュータプログラム。
【発明の詳細な説明】
【関連出願の相互参照】
【０００１】
[0001]本願は、本明細書においてその全体が参照によって組み込まれている、２０１４年９月２日出願の米国仮特許出願第６２／０４４，７６５号の利益を主張する２０１５年９月１日出願の米国特許出願第１４／８４２，３８７号に対する優先権を主張する。
【０００２】
開示の分野
[0002]本開示のいくつかの態様は、一般に、ワイヤレス通信システムに関し、さらに詳しくは、増強された観測された到着時間差（ｅＯＴＤＯＡ：enhanced observed time difference of arrival）のためのロングタームエボリューション（ＬＴＥ（登録商標））における位置決め基準信号（ＰＲＳ：positioning reference signal）周波数オフセットおよびミュートパターン（muting patterns）のランダム化に関する。
【背景技術】
【０００３】
[0003]ワイヤレス通信ネットワークは、テレフォニー、ビデオ、データ、メッセージング、ブロードキャスト等のような様々な通信サービスを提供するために広く展開されている。通常は多元接続ネットワークであるこのようなネットワークは、利用可能なネットワークリソースを共有することによって、多数のユーザのための通信をサポートする。このようなネットワークの１つの例は、ユニバーサル地上無線アクセスネットワーク（ＵＴＲＡＮ）である。ＵＴＲＡＮは、第３世代パートナーシップ計画（３ＧＰＰ（登録商標））によってサポートされている第３世代（３Ｇ）モバイル電話技術である、ユニバーサルモバイルテレコミュニケーションシステム（ＵＭＴＳ）の一部として定義されている無線アクセスネットワーク（ＲＡＮ）である。グローバルシステムフォーモバイルコミュニケーション（ＧＳＭ）（登録商標）技術への後継であるＵＭＴＳは現在、広帯域符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）のような様々なエアインターフェース規格をサポートする。たとえば、中国は、コアネットワークとしてその既存のＧＳＭインフラストラクチャとの、ＵＴＲＡＮアーキテクチャにおける根底をなすエアインターフェースとして、ＴＤ−ＳＣＤＭＡを追求している。ＵＭＴＳはまた、高速ダウンリンクパケットデータ（ＨＳＤＰＡ）のような増強された３Ｇデータ通信プロトコルをサポートし、それは、関連付けられたＵＭＴＳネットワークへ、より高いデータ転送速度および容量を提供する。
【０００４】
[0004]異なる基地局を通してワイヤレスサービスが提供されるワイヤレステレコミュニケーションシステムにおける動作に加えて、ＵＥは、ロケーションベースのサービスのような様々なサービスに関連するデータを消費し得る。ＵＥの技術またはプロビジョニング設定（たとえば、イネーブルされた機能）に基づいて、ＵＥの位置は、複数の衛星から受信されたデータを通して、または、複数の基地局から受信された制御シグナリングから、ＵＥによって少なくとも部分的に推定され得る。３ＧＰＰ  ＬＴＥネットワークでは、このような制御シグナリングデータは位置決め基準信号（ＰＲＳ）を含み、それは複数の基地局によって送信され、ＵＥによって受信される。従来のテレコミュニケーションシステムでは、受信機における基準シンボルのＰＲＳシーケンスの復号は、一般に、２次相関ピークをもたらす。このような２次相関ピークは、ＵＥのロケーションの推定値を生成するために、（１つまたは複数の）処理（たとえば、三辺測量、三角測量等）の一部である飛行時間（time-of-flight）インターバルの決定に影響を及ぼし得る。
【発明の概要】
【０００５】
[0005]本開示のシステム、方法、およびデバイスは各々、いくつかの態様を有し、このうちの何れの単一の態様も、この所望される属性に単独では寄与しない。以下に続く特許請求の範囲によって表現されるような本開示の範囲を限定することなく、いくつかの特徴が、ここで簡潔に議論されるであろう。本議論を考慮した後、そして特に、「詳細な説明」と題されたセクションを読んだ後、ワイヤレスネットワークにおけるアクセスポイントとユーザ端末との間の改善された通信を含む利点を、本開示の特徴がどのように提供するのかを理解するであろう。
【０００６】
[0006]本開示のいくつかの態様は、一般に、増強された観測された到着時間差（ｅＯＴＤＯＡ）のためのロングタームエボリューション（ＬＴＥ）における位置決め基準信号（ＰＲＳ）周波数オフセットおよびミュートパターンのランダム化に関する。
【０００７】
[0007]いくつかの態様に従って、基地局（ＢＳ）によるワイヤレス通信のための方法が提供される。この方法は、一般に、ＰＲＳを送信するための時間周波数リソースのセットを決定するために使用される少なくとも１つのパラメータをランダムに選択することと、少なくとも１つのパラメータに少なくとも基づいて、時間周波数リソースのセットを決定することと、決定された時間周波数リソースのセットにおいてＰＲＳを送信することとを含む。
【０００８】
[0008]いくつかの態様に従って、ユーザ機器（ＵＥ）によるワイヤレス通信のための方法が提供される。この方法は、一般に、ＢＳからのＰＲＳのための測定のために、時間周波数リソースのセットを決定するために使用される少なくとも１つのパラメータをランダムに選択することと、時間周波数リソースのセットにおいてＰＲＳを測定することとを含む。
【０００９】
[0009]いくつかの態様に従って、ワイヤレス通信のための装置が提供される。この装置は、一般に、ＰＲＳを送信するための時間周波数リソースのセットを決定するために使用される少なくとも１つのパラメータをランダムに選択するための手段と、少なくとも１つのパラメータに少なくとも基づいて、時間周波数リソースのセットを決定するための手段と、決定された時間周波数リソースのセットにおいてＰＲＳを送信するための手段とを含む。
【００１０】
[0010]いくつかの態様に従って、ワイヤレス通信のための装置が提供される。この装置は、一般に、ＢＳからのＰＲＳのための測定のために、時間周波数リソースのセットを決定するために使用される少なくとも１つのパラメータをランダムに選択するための手段と、時間周波数リソースのセットにおいてＰＲＳを測定するための手段とを含む。
【００１１】
[0011]いくつかの態様に従って、ワイヤレス通信のための装置が提供される。この装置は、一般に、ＰＲＳを送信するための時間周波数リソースのセットを決定するために使用される少なくとも１つのパラメータをランダムに選択することと、少なくとも１つのパラメータに少なくとも基づいて、時間周波数リソースのセットを決定することと、決定された時間周波数リソースのセットにおいてＰＲＳを送信することとを行うように構成された少なくとも１つのプロセッサと、少なくとも１つのプロセッサに結合されたメモリとを含む。
【００１２】
[0012]いくつかの態様に従って、ワイヤレス通信のための装置が提供される。この装置は、一般に、ＢＳからのＰＲＳのための測定のために、時間周波数リソースのセットを決定するために使用される少なくとも１つのパラメータをランダムに選択することと、時間周波数リソースのセットにおいてＰＲＳを測定することとを行うように構成された少なくとも１つのプロセッサと、少なくとも１つのプロセッサに結合されたメモリとを含む。
【００１３】
[0013]いくつかの態様に従って、コンピュータ読取可能な媒体が提供される。コンピュータ読取可能な媒体は、一般に、記憶されたコンピュータ実行可能なコードを含み、コンピュータ実行可能なコードは、ＰＲＳを送信するための時間周波数リソースのセットを決定するために使用される少なくとも１つのパラメータをランダムに選択するためのコードと、少なくとも１つのパラメータに少なくとも基づいて、時間周波数リソースのセットを決定するためのコードと、決定された時間周波数リソースのセットにおいてＰＲＳを送信するためのコードとを備える。
【００１４】
[0014]いくつかの態様に従って、コンピュータ読取可能な媒体が提供される。コンピュータ読取可能な媒体は、一般に、記憶されたコンピュータ実行可能なコードを含み、コンピュータ実行可能なコードは、ＢＳからのＰＲＳのための測定のために、時間周波数リソースのセットを決定するために使用される少なくとも１つのパラメータをランダムに選択するためのコードと、時間周波数リソースのセットにおいてＰＲＳを測定するためのコードとを備える。
【００１５】
[0015]本開示のいくつかの態様は、一般に、増強された観測された到着時間差（ｅＯＴＤＯＡ）のためのロングタームエボリューション（ＬＴＥ）における位置決め基準信号（ＰＲＳ）周波数オフセットおよびミュートパターンのランダム化に関する。
【００１６】
[0016]いくつかの態様に従って、アクセスポイント（ＡＰ）が提供される。ＡＰは、一般に、ＰＲＳを送信するための時間周波数リソースのセットを決定するために使用される少なくとも１つのパラメータをランダムに選択するように構成された処理システムと、決定された時間周波数リソースのセットにおいてＰＲＳを送信するように構成された送信機とを含む。
【００１７】
[0017]いくつかの態様に従って、アクセス端末が提供される。アクセス端末は、一般に、ＢＳからのＰＲＳのための測定のために、時間周波数リソースのセットを決定するために使用される少なくとも１つのパラメータをランダムに選択することと、決定された時間周波数リソースのセットにおいてＰＲＳを測定することとを行うように構成された処理システムを含む。
【００１８】
[0018]装置、システム、およびコンピュータプログラム製品を含む多くの他の態様が提供される。上述されたおよび関連する目的の達成のために、１つまたは複数の態様は、以下に完全に記載され、特に、特許請求の範囲において指摘される特徴を備える。以下の記載および添付図面は、１つまたは複数の態様のいくつかの例示的な特徴を詳細に述べる。しかしながら、これらの特徴は、様々な態様の原理が適用され得る様々な方式のうちのごく一部しか示しておらず、本記載は、このような態様およびこれらの均等物のすべてを含むことが意図されている。
【図面の簡単な説明】
【００１９】
[0019]本開示の上述された特徴が詳細に理解され得るように、上記で簡潔に要約された、より具体的な記載が、態様に対する参照によってなされ、それらのいくつかは、添付図面に例示されている。しかしながら、この記載は、他の等しく有効な態様を認めているので、添付図面は、本開示のいくつかの典型的な態様のみを例示しており、従って、この範囲を限定するとは考慮されないことが留意されるべきである。
【図１】[0020]図１は、本開示のいくつかの態様に従う、テレコミュニケーションシステムの例を概念的に例示するブロック図である。
【図２】[0021]図２は、本開示のいくつかの態様に従う、テレコミュニケーションシステムにおいてユーザ機器（ＵＥ）と通信しているノードＢの例を概念的に例示するブロック図である。
【図３】[0022]図３は、本開示のいくつかの態様に従う、例示的なフレーム構造を例示する。
【図４】[0023]図４は、本開示のいくつかの態様に従う、セル特有基準信号（ＣＲＳ）送信のための例示的なサブフレームフォーマットを例示する。
【図５】[0024]図５は、本開示のいくつかの態様に従う、位置決め基準信号（ＰＲＳ）送信のための例示的なサブフレームフォーマットを例示する。
【図５Ａ】図５Ａは、本開示のいくつかの態様に従う、位置決め基準信号（ＰＲＳ）送信のための例示的なサブフレームフォーマットを例示する。
【図５Ｂ】図５Ｂは、本開示のいくつかの態様に従う、位置決め基準信号（ＰＲＳ）送信のための例示的なサブフレームフォーマットを例示する。
【図６】[0025]図６は、本開示のいくつかの態様に従う、たとえば基地局によって実行される例示的な動作を例示する。
【図６Ａ】[0026]図６Ａは、本開示のいくつかの態様に従う、図６に図示される動作を実行することが可能な例示的な構成要素を例示する。
【図７】[0027]図７は、本開示のいくつかの態様に従う、たとえばＵＥによって実行される例示的な動作を例示する。
【図７Ａ】[0028]図７Ａは、本開示のある態様に従う、図７において図示される動作を実行することが可能な例示的な構成要素を例示する。
【図８】[0029]図８は、本開示のいくつかの態様に従う、例示的なＰＲＳ送信スケジュール８００を例示する。
【００２０】
[0030]理解を容易にするために、図面に対して共通である同一の要素を明示するために、可能な場合、同一の参照番号が使用されている。１つの実施形態において開示される要素は、特定の詳説無しで、他の実施形態において有用に利用され得ることが熟考される。
【詳細な説明】
【００２１】
[0031]本開示のいくつかの態様は、一般に、増強された観測された到着時間差（ｅＯＴＤＯＡ）のためのロングタームエボリューション（ＬＴＥ）における位置決め基準信号（ＰＲＳ）周波数オフセットおよびミュートパターンのランダム化に関する。たとえば、サブフレームにおけるＰＲＳのための周波数トーンオフセットを生成するために、または、ミュートシーケンスを生成するために、乱数生成器が使用され得る。この生成器のためのシード（seed）は、基地局（ＢＳ）とユーザ機器（ＵＥ）との両方において知られ得る。これは、ヒアアビリティ（hearability）を高め、よって、ＵＥが、より多くの近隣ＢＳからのＰＲＳを測定し、ＯＴＤＯＡ推定の精度を高めることを可能にする。
【００２２】
[0032]本明細書に記載された技術は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークのために使用され得る。用語「ネットワーク」および「システム」は、しばしば置換可能に使用される。ＣＤＭＡネットワークは、たとえばユニバーサル地上無線アクセス（ＵＴＲＡ）、ｃｄｍａ２０００等のような無線技術をインプリメントし（implement）得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含む。ｃｄｍａ２０００は、ＩＳ−２０００、ＩＳ−９５およびＩＳ−８５６規格をカバーする。ＴＤＭＡネットワークは、グローバルシステムフォーモバイルコミュニケーション（ＧＳＭ）のような無線技術をインプリメントし得る。直交周波数分割多元接続（ＯＦＤＭＡ）ネットワークは、エボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ等のような無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、周波数分割複信（ＦＤＤ）と時分割複信（ＴＤＤ）との両方において、Ｅ−ＵＴＲＡを使用するＵＭＴＳの新たなリリースであり、それは、ダウンリンクではＯＦＤＭＡを適用し、アップリンクではＳＣ−ＦＤＭＡを適用する。ＵＴＲＡ、Ｅ−ＵＴＲＡ、ＵＭＴＳ、ＬＴＥ、ＬＴＥ−Ａ、およびＧＳＭは、「第３世代パートナーシップ計画」（３ＧＰＰ）という名称の団体からの文書に記載されている。ｃｄｍａ２０００およびＵＭＢは、「第３世代パートナーシップ計画２」（３ＧＰＰ２）という名称の団体からの文書に記載されている。ＬＴＥは、一般に、ＬＴＥとＬＴＥ−Ａとの両方を称する。本明細書において記載された技術は、他のワイヤレスネットワークおよび無線技術と同様に、上述されたワイヤレスネットワークおよび無線技術のために使用され得る。明確化のために、これら技術のいくつかの態様は、以下において、ＬＴＥに関して記載されており、ＬＴＥ用語が以下の説明の多くで使用される。
【００２３】
[0033]図１は、本開示の態様が実行され得るワイヤレス通信ネットワーク１００を図示する。たとえば、ｅＮＢ１１０は、位置決め基準信号（ＰＲＳ）を送信するための時間周波数リソースのセットを決定するために使用される少なくとも１つのパラメータ（たとえば、周波数トーンオフセットまたはミュートパターン）をランダムに選択し得る。ｅＮＢ１１０は、決定された時間周波数リソースのセットにおいて、たとえば、ＵＥ１２０にＰＲＳを送信し得る。ＵＥ１２０は、ＢＳからのＰＲＳのための測定のために、時間周波数リソースのセットを決定するための（１つまたは複数の）パラメータをランダムに選択するために、対応する乱数生成器およびシードを使用し得る。
【００２４】
[0034]ネットワーク１００は、ＬＴＥネットワークまたはいくつかの他のワイヤレスネットワークであり得る。ワイヤレスネットワーク１００は、複数のエボルブドノードＢ（ｅＮＢｓ）１１０および他のネットワークエンティティを含み得る。ｅＮＢは、ＵＥｓと通信するエンティティであり、基地局、ノードＢ、アクセスポイント等とも称され得る。各ｅＮＢは、特定の地理的エリアのための通信カバレッジを提供する。３ＧＰＰでは、用語「セル」は、この用語が使用されるコンテキストに依存して、このカバレッジエリアにサービス提供する（serving）ｅＮＢおよび／またはｅＮＢサブシステムのカバレッジエリアを称し得る。
【００２５】
[0035]ｅＮＢは、マクロセル、ピコセル、フェムトセル、および／または、他のタイプのセルのための通信カバレッジを提供し得る。マクロセルは、比較的大きな地理的エリア（たとえば、半径数キロメータ）をカバーし得、サービス加入を持つＵＥｓによる無制限のアクセスを許可にし得る。ピコセルは、比較的小さな地理的エリアをカバーし得、サービス加入を持つＵＥｓによる無制限のアクセスを許可し得る。フェムトセルは、比較的小さな地理的エリア（たとえば、家）をカバーし得、フェムトセルとの関連付けを有するＵＥ（たとえば、クローズド加入者グループ（ＣＳＧ）におけるＵＥｓ）による制限されたアクセスを許可し得る。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢまたはホームｅＮＢ（ＨｅＮＢ）と称され得る。図１に図示された例では、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数（たとえば、３つ）のセルをサポートし得る。用語「ｅＮＢ」、「基地局」、および「セル」は、本明細書において置換可能に使用され得る。
【００２６】
[0036]ワイヤレスネットワーク１００はまた、リレー局を含み得る。リレー局は、上流局（たとえば、ｅＮＢまたはＵＥ）からのデータの送信を受信し得、下流局（たとえば、ＵＥまたはｅＮＢ）にデータの送信を送り得るエンティティである。リレー局はまた、他のＵＥｓのための送信をリレーし得るＵＥでもあり得る。図１に図示された例では、リレー局１１０ｄは、ｅＮＢ１１０ａとＵＥ１２０ｄとの間の通信を容易にするために、マクロｅＮＢ１１０ａおよびＵＥ１２０ｄと通信し得る。リレー局はまた、リレーｅＮＢ、リレー基地局、リレー等とも称され得る。
【００２７】
[0037]ワイヤレスネットワーク１００は、たとえば、マクロｅＮＢｓ、ピコｅＮＢｓ、フェムトｅＮＢｓ、リレーｅＮＢｓ等のような異なるタイプのｅＮＢｓを含む異種ネットワークであり得る。これら異なるタイプのｅＮＢｓは、異なる送信電力レベル、異なるカバレッジエリア、および、ワイヤレスネットワーク１００内の干渉に対する異なるインパクトを有し得る。たとえば、マクロｅＮＢｓは、高い送信電力レベル（たとえば、５〜４０ワット）を有し得る一方、ピコｅＮＢｓ、フェムトｅＮＢｓ、およびリレーｅＮＢｓは、低い送信電力レベル（たとえば、０．１〜２ワット）を有し得る。
【００２８】
[0038]ネットワークコントローラ１３０は、ｅＮＢｓのセットに結合され得、これらｅＮＢｓのための調整および制御を提供し得る。ネットワークコントローラ１３０は、バックホールを介してｅＮＢｓと通信し得る。ｅＮＢｓはまた、たとえば、直接的に、または、ワイヤレスまたは有線バックホールを介して間接的に、互いに通信し得る。
【００２９】
[0039]ＵＥｓ１２０は、ワイヤレスネットワーク１００の全体にわたって分散され得、各ＵＥは、固定式または移動式であり得る。ＵＥはまた、端末、ユーザ端末、移動局、加入者ユニット、局等とも称され得る。ＵＥは、セルラ電話（たとえば、スマートフォン）、情報携帯端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、ネットブック、スマートブック、ウルトラブック、ウェアラブルデバイス（たとえば、スマートグラス、スマートウォッチ、スマートリストバンド、スマートリング、スマートブレスレット、スマート衣類（smart clothing））、ドローン、ロボット、メータ（meter）、モニタ、センサ等であり得る。
【００３０】
[0040]図２は、基地局／ｅＮＢ１１０およびＵＥ１２０の設計のブロック図を図示し、それは、図１における基地局／ｅＮＢｓのうちの１つ、および、ＵＥｓのうちの１つであり得る。基地局１１０は、Ｔ個のアンテナ２３４ａ〜２３４ｔを装備され得、ＵＥ１２０は、Ｒ個のアンテナ２５２ａ〜２５２ｒを装備され得る。
【００３１】
[0041]基地局１１０では、送信プロセッサ２２０が、１つまたは複数のＵＥｓのために、データソース２１２からデータを受信し得、ＵＥから受信したチャネル品質情報（ＣＱＩｓ）に基づいて各ＵＥのための１つまたは複数の変調およびコーディングスキーム（ＭＣＳ）を選択し得、ＵＥのために選択された変調およびコーディングスキームに基づいて、各ＵＥのためのデータを処理（たとえば、エンコードおよび変調）し得、すべてのＵＥｓのためのデータシンボルを提供し得る。送信プロセッサ２２０はまた、システム情報および制御情報（たとえば、ＣＱＩ要求、許可（grant）、上位レイヤシグナリング等）を処理し得、オーバヘッドシンボルおよび制御シンボルを提供し得る。プロセッサ２２０はまた、基準信号（たとえば、セル特有基準信号）および同期信号（たとえば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能であれば、データシンボル、制御シンボル、オーバヘッドシンボル、および／または、基準シンボルに対して空間処理（たとえば、プリコーディング）を実行し得、Ｔ個の変調器（ＭＯＤｓ）２３２ａ〜２３２ｔにＴ個の出力シンボルストリームを提供し得る。各変調器２３２は、出力サンプルストリームを取得するために、（たとえば、ＯＦＤＭ等のために）各々の出力シンボルストリームを処理し得る。各変調器２３２はさらに、ダウンリンク信号を取得するために、出力サンプルストリームを処理（たとえば、アナログ変換、増幅、フィルタ、およびアップコンバート）し得る。変調器２３２ａ〜２３２ｔからのＴ個のダウンリンク信号は、Ｔ個のアンテナ２３４ａ〜２３４ｔによって各々送信され得る。
【００３２】
[0042]ＵＥ１２０では、アンテナ２５２ａ〜２５２ｒは、基地局１１０および／または他の基地局からダウンリンク信号を受信し得、受信された信号を、復調器（ＤＥＭＯＤｓ）２５４ａ〜２５４ｒに各々提供し得る。各復調器２５４は、入力サンプルを取得するために、その受信された信号を調整（たとえば、フィルタ、増幅、ダウンコンバート、およびデジタル化）し得る。各復調器２５４はさらに、受信されたシンボルを取得するために、（たとえば、ＯＦＤＭ等のために）これら入力サンプルを処理し得る。ＭＩＭＯ検出器２５６は、Ｒ個すべての復調器２５４ａ〜２５４ｒから、受信されたシンボルを取得し、適用可能である場合、これら受信されたシンボルに対してＭＩＭＯ検出を実行し、検出されたシンボルを提供し得る。受信プロセッサ２５８は、検出されたシンボルを処理（たとえば、復調および復号）し、ＵＥ１２０のための復号されたデータをデータシンク２６０に提供し、復号された制御情報およびシステム情報をコントローラ／プロセッサ２８０に提供し得る。
【００３３】
[0043]アップリンクでは、ＵＥ１２０において、送信プロセッサ２６４が、データソース２６２からのデータと、コントローラ／プロセッサ２８０からの制御情報とを受信および処理し得る。プロセッサ２６４はまた、１つまたは複数の基準信号のための基準シンボルを生成し得る。送信プロセッサ２６４からのシンボルは、適用可能であれば、ＴＸ  ＭＩＭＯプロセッサ２６６によってプリコーディングされ得、さらに、（たとえば、シングルキャリア周波数分割多重（ＳＣ−ＦＤＭ）、直交周波数分割多重（ＯＦＤＭ）等のために）変調器２５４ａ〜２５４ｒによって処理され得、基地局１１０に送信され得る。基地局１１０では、ＵＥ１２０によって送られた復号されたデータおよび制御情報を取得するために、ＵＥ１２０および他のＵＥｓからのアップリンク信号が、アンテナ２３４によって受信され得、復調器２３２によって処理され得、適用可能な場合にはＭＩＭＯ検出器２３６によって検出され得、さらに、受信プロセッサ２３８によって処理され得る。プロセッサ２３８は、復号されたデータを、データシンク２３９に提供し、復号された制御情報を、コントローラ／プロセッサ２４０に提供し得る。
【００３４】
[0044]コントローラ／プロセッサ２４０および２８０はそれぞれ、基地局１１０およびＵＥ１２０において、動作を指示し得る。ＵＥ１２０におけるプロセッサ２８０および／または他のプロセッサおよびモジュールは、本明細書に記載されているように、位置決め基準信号（ＰＲＳ）に基づいてセルの到着時間を明確に検出するようにＵＥを構成するための動作を実行または指示し得る。たとえば、ＵＥ１２０におけるコントローラ／プロセッサ２８０および／または他のプロセッサおよびモジュールは、図７に関連して例示されているもののように、様々なプロシージャのための動作を実行または指示し得る。メモリ２８２は、ＵＥ１２０のためのデータおよびプログラムコードを記憶し得る。たとえば、基地局１１０におけるコントローラ／プロセッサ２４０および／または他のプロセッサおよびモジュールは、図６に関連して例示されているもののように、様々なプロシージャのための動作を実行または指示し得る。メモリ２４２は、基地局１１０のためのデータおよびプログラムコードを記憶し得る。スケジューラ２４４は、ダウンリンクおよび／またはアップリンクにおけるデータ送信のためにＵＥｓをスケジュールし得る。ネットワークコントローラ１３０は、たとえば、メモリ２９２、コントローラ／プロセッサ２９０、および通信ユニット２９４を含み得る。
【００３５】
[0045]図３は、ＬＴＥにおけるＦＤＤのための例示的なフレーム構造３００を図示する。ダウンリンクおよびアップリンクの各々のための送信タイムラインは、無線フレームの単位に分割され得る。各無線フレームは、（たとえば１０ミリ秒（ｍｓ）のような）予め決定された持続時間を有し得、０〜９のインデクスを付された１０個のサブフレームに分割され得る。各サブフレームは、２つのスロットを含み得る。よって、各無線フレームは、０〜１９のインデクスを付された２０のスロットを含み得る。各スロットは、たとえば、通常のサイクリックプレフィクスのために７つのシンボル期間、または、拡張サイクリックプレフィクスのために６つのシンボル期間のような、Ｌ個のシンボル期間を含み得る。各サブフレームにおける２Ｌ個のシンボル期間は、０〜２Ｌ−１のインデクスを割り当てられ得る。
【００３６】
[0046]ＬＴＥは、ダウンリンクにおいてＯＦＤＭを、アップリンクにおいてＳＣ−ＦＤＭを利用する。ＯＦＤＭおよびＳＣ−ＦＤＭは、周波数範囲を、複数（ＮＦＦＴ個）の直交サブキャリアに分割し、それはまた、周波数トーン、トーン、ビン等と一般に称される。各サブキャリアは、データとともに変調され得る。一般に、変調シンボルは、ＯＦＤＭを用いて周波数領域で、ＳＣ−ＦＤＭを用いて時間領域で送られる。隣接するサブキャリア間の間隔（spacing）は固定され得、サブキャリアの総数（ＮＦＦＴ個）は、システム帯域幅に依存し得る。たとえば、ＮＦＦＴは、１．４、３、５、１０、または２０メガヘルツ（ＭＨｚ）のシステム帯域幅について各々１２８、２５６、５１２、１０２４、または２０４８に等しい。
【００３７】
[0047]ダウンリンクのために利用可能な時間周波数リソースは、リソースブロックに分割され得る。各リソースブロックは、１つのスロット内に１２個のサブキャリアをカバーし得、複数のリソース要素を含み得る。各リソース要素は、１つのシンボル期間において１つのサブキャリアをカバーし得、１つの変調シンボルを送るために使用され得、それは実数値または複素数値であり得る。
【００３８】
[0048]図３は、本開示の態様に従って、ＬＴＥにおける基準信号の送信を図示する。セルは、各サブフレームのいくつかのシンボル期間においてセル特有基準信号（ＣＲＳ）を送信し得る。セルは、いくつかのサブフレームのいくつかのシンボル期間において、位置決め基準信号（ＰＲＳ）を送信し得る。ＣＲＳおよびＰＲＳは、セルに特有であり得、セルのセルアイデンティティ（ＩＤ）に基づいて生成され得る。ＣＲＳおよびＰＲＳは、チャネル推定、チャネル測定、チャネルフォードバックレポーティング等のような様々な目的のために使用され得る。
【００３９】
[0049]図４は、本開示の態様に従う、ＬＴＥにおける通常のサイクリックプレフィクスを伴うＣＲＳのための２つのサブフレームフォーマット４１０および４２０を図示する。サブフレームフォーマット４１０は、２つのアンテナポートを有するセルのために使用され得る。セルは、シンボル期間０、４、７、および１１においてＣＲＳを送信し得る。サブフレームフォーマット４２０は、４つのアンテナポートを有するセルによって使用され得る。セルは、シンボル期間０、１、４、７、８、および１１においてＣＲＳを送信し得る。サブフレームフォーマット４１０および４２０の両方のために、ラベルＲｍを有する所与のリソース要素のために、基準シンボルが、このリソース要素において、アンテナポートｍから送信され得、どの変調シンボルも、このリソース要素において、他のアンテナポートから送信されないことがある。アンテナポートはまた、アンテナ、アンテナ素子等とも称され得る。セルは、ＣＲＳが送信される各シンボル期間において、等しく間隔を置かれたサブキャリアにおいてＣＲＳを送信し得る。
【００４０】
[0050]図５は、本開示の態様に従う、ＬＴＥにおける通常のサイクリックプレフィクスのためのＰＲＳのための２つのサブフレームフォーマット５１０および５２０を図示する。サブフレームは、通常のサイクリックプレフィクスの場合、インデクス０〜１３を付された１４個のシンボル期間を含み得る。サブフレームフォーマット５１０は、物理ブロードキャストチャネル（ＰＢＣＨ）のために１つまたは２つのアンテナポートを有するセルのために使用され得る。サブフレームフォーマット５２０は、ＰＢＣＨのために４つのアンテナポートを有するセルのために使用され得る。サブフレームフォーマット５１０および５２０の両方のために、セルは、図５においてラベルＲ６を有する各リソース要素においてアンテナポート６でＰＲＳを送信し得る。
【００４１】
[0051]図５Ａは、本開示の態様に従う、ＬＴＥにおける拡張サイクリックプレフィクスのためのＰＲＳのための２つのサブフレームフォーマット５３０および５４０を図示する。サブフレームは、拡張サイクリックプレフィクスのためにインデクス０〜１１を付された１２個のサブフレーム期間を含み得る。サブフレームフォーマット５３０は、ＰＢＣＨのために１つまたは２つのアンテナポートを有するセルのために使用され得る。サブフレームフォーマット５４０は、ＰＢＣＨのために４つのアンテナポートを有するセルのために使用され得る。サブフレームフォーマット５３０および５４０の両方のために、セルは、図５Ａにおいて、ラベルＲ６を有する各リソース要素においてアンテナポート６でＰＲＳを送信し得る。
【００４２】
[0052]セルは、ＰＲＳ送信のために構成された各サブフレームにおける１つまたは複数のリソースブロックにおいて、アンテナポート６からＰＲＳを送信し得る。セルは、それらのアンテナポートに関わらず、ＰＢＣＨに割り当てられたリソース要素におけるＰＲＳ、１次同期信号（ＰＳＳ）、または２次同期信号（ＳＳＳ）の送信を回避し得る。セルは、セルＩＤ、シンボル期間インデクス、およびスロットインデクスに基づいて、ＰＲＳのための基準シンボルを生成し得る。ＵＥは、ＰＲＳを、別のセルと区別することが可能であり得る。
【００４３】
[0053]セルは、特定のＰＲＳ帯域幅でＰＲＳを送信し得、それは、より高いレイヤによって構成され得る。セルは、たとえば、図５および図５Ａに図示されるように、ＰＲＳ帯域幅にわたって６つのサブキャリア離れて配置されたサブキャリアにおいて（on subcarriers spaced apart by six subcarriers）ＰＲＳを送信し得る。セルはまた、ＰＲＳ周期（periodicity）ＴＰＲＳ、サブフレームオフセットΔＰＲＳ、およびＰＲＳ持続時間ＮＰＲＳのようなパラメータに基づいてＰＲＳを送信し得る。ＰＲＳ周期は、ＰＲＳが送信される周期である。ＰＲＳ周期は、たとえば、１６０、３２０、６４０、または１２８０ミリ秒であり得る。サブフレームオフセットは、ＰＲＳが送信される特定のサブフレームを示す。そして、ＰＲＳ持続時間は、ＰＲＳ送信（ＰＲＳ機会（occasion））の各期間においてＰＲＳが送信される連続するサブフレームの数（the number of consecutive subframes）を示す。ＰＲＳ持続時間は、たとえば、１、２、４、または６ミリ秒であり得る。
【００４４】
[0054]ＰＲＳ周期ＴＰＲＳおよびサブフレームオフセットΔＰＲＳは、ＰＲＳコンフィギュレーションインデクスＩＰＲＳによって伝送され得る。ＰＲＳコンフィギュレーションインデクスおよびＰＲＳ持続時間は、より高いレイヤによって独立して構成され得る。ＰＲＳが送信されるＮＰＲＳ個の連続サブフレームのセットは、ＰＲＳ機会と称され得る。たとえば、各ＰＲＳ機会が、イネーブルまたはミュートされ（be enabled or muted）得、ＵＥは、各セルにミュートビット（a muting bit）を適用し得る。次のＰＲＳ機会においてミュートされ得るセルは、測定されるべきではない。
【００４５】
ＬＴＥ  ＥＯＴＤＯＡにおけるＰＲＳ周波数オフセットおよびミュートパターンの例示的なランダム化
[0055]本明細書では、セルの位置決め基準信号（ＰＲＳ）周波数オフセットおよびミュートパターンのランダム化のための技法および装置が提供される。たとえば、サブフレームおよび／またはミュートパターンビットシーケンスにおけるＰＲＳのための周波数オフセットが、ランダム化され得る。ＰＲＳのランダム化は、たとえば、増強された観測された到着時間差（ｅＯＴＤＯＡ）推定の精度を向上させることに役立ち得る。
【００４６】
[0056]ロングタームエボリューション（ＬＴＥ）では、ロケーション位置決め（location positioning）は、ＯＴＤＯＡ推定によって実行され得る。ロケーション位置決めサーバは、ユーザ機器（ＵＥ）に、近隣セルのリストを示す。ＵＥは、リストにおける各セルのための到着時間（ＴＯＡ）を測定し得、基準セルに関する到着時間差（ＴＤＯＡ）をネットワークにレポートし得る。ＵＥの観測された到着時間差を与えられ、ネットワークにおけるロケーション位置決めサーバは、ＵＥの位置を決定し得る。ロケーション位置決めの精度は、ＰＲＳが受信される近隣セルの数がより多いほど向上し得る。したがって、干渉の管理は、ヒアアビリティ、すなわち、ＵＥが、近隣セルのＰＲＳを聞いて（hear）測定する能力を向上させるために所望され得る。
【００４７】
[0057]典型的に、ＰＲＳは、ＰＲＳサブフレーム（たとえば、ＰＲＳを搬送するサブフレーム）のＰＲＳ直交周波数分割多重（ＯＦＤＭ）シンボル（たとえば、ＰＲＳを搬送するシンボル）毎に６トーンストライドパターン（a 6-tone stride pattern）を有する。これは、ＰＲＳが、ＰＲＳシンボルにおいて、６トーン毎に生じることを意味する。ストライド（たとえば、ＰＲＳが生じるＰＲＳシンボルにおける最初のトーン）のオフセットは、典型的には、ＰＲＳを送信するセルの物理セルＩＤ（ＰＣＩＤ）に基づいて（たとえば、ｍｏｄ（ＰＣＩＤ，６）によって）決定され、ここで、ＰＣＩＤは、０〜５０３の範囲にある。図５Ｂは、２つの送信アンテナを用いた通常のサイクリックプレフィクス（ＣＰ）ケースにおけるＰＲＳサブフレーム５００Ｂの６つの可能な周波数オフセット（たとえば、ビン）を例示する。図５Ｂに図示されるように、０である周波数オフセットは、第３のシンボル期間におけるリソース要素（ＲＥ）５０２Ｂにおいて生じ得るので、ＰＲＳは、ＲＥ５０２Ｂにおいて送信され得、その後、ＲＥ５０４Ｂにおいて再び送信され得、ＲＥ５０２ＢとＲＥ５０４Ｂとの間には５トーンある。あるいは、１である周波数オフセットがＲＥ５０６Ｂにおいて生じ得るので、ＰＲＳは、ＲＥ５０６Ｂにおいて送信され得、ＲＥ５０８Ｂにおいて再び送信され得、ＲＥ５０６ＢとＲＥ５０８Ｂとの間には５トーンあり、たとえば、２、３、４、５であるオフセットについても同様である。いくつかのケースでは、２つのセルが、同じオフセット（たとえば、同じｍｏｄ（ＰＣＩＤ，６）を有する）を有し得、たとえば、ＰＣＩＤｓ０および６を有するセルは各々、周波数領域において衝突し得、互いに干渉を生成し得る。
【００４８】
[0058]いくつかのＰＲＳサブフレーム／機会は、ミュートされ得、ここで、ＢＳは送信しないことがあり得るか、および／または、ＵＥは、ＰＲＳを求めてモニタしないことがあり得る。典型的には、ＰＲＳミュートコンフィギュレーション（a PRS muting configuration）は、周期ＴＲＥＰを有する周期的なＰＲＳミュートシーケンスによって定義され、ここで、ＰＲＳ機会（サブフレーム）の数でカウントされるＴＲＥＰは、２、４、８、または１６であり得、これは、各々ＰＲＳミュートシーケンスを表す２、４、８、または１６ビットストリングによって表され得る。１２８０ミリ秒のＰＲＳ周期の場合、ＴＲＥＰの最大値は８であり、１６ではない。ＰＲＳミュートシーケンスにおけるビットが「０」に設定されている場合、ＰＲＳは、対応する（１つまたは複数の）ＰＲＳ機会／サブフレームにおいてミュートされる。このＰＲＳミュートシーケンスは、ネットワーク内の各セルのために構成される。典型的には、ＰＲＳミュートシーケンスのシーケンス長さおよび正確なパターンは、同じｍｏｄ（ＰＣＩＤ，６）値を有する所与のセルの近傍における近隣セルの数を考慮する、より洗練されたアルゴリズムに基づき得る。
【００４９】
[0059]典型的には、ネットワークにおけるセルの周波数オフセットとミュートパターンとの両方が、静的（static）である。周波数オフセットは、セルＰＣＩＤ（たとえば、ｍｏｄ（ＰＣＩＤ，６））に基づくので、セルの周波数オフセットは、ネットワークＰＣＩＤ計画（network PCID planning）の副産物であり得る。干渉を最小化し、ヒアアビリティを最大化するために、ネットワークにおける任意のポイントの近隣セルを、６つの周波数ビンの間に等しく分散させることが所望されるが、ＰＣＩＤ計画スキームは、典型的には、ＰＲＳ展開に先立って既になされているので、これは達成することが難しいことがある。したがって、ＰＲＳ干渉管理は、典型的には、既存のネットワーク計画ツールに現れない。たとえネットワーク計画スキーム／ツールが、ＰＲＳ干渉管理を考慮するために更新されても、これは、所望されないことがあるライブコマーシャルネットワークのＰＣＩＤ計画を修正することを伴い得る。それに加えて、データおよびＣＲＳ干渉除去（ＩＣ）の利点を最大化するために、クラスタ内の近隣セルがすべて、周波数領域において衝突し、同じｍｏｄ（ＰＣＩＤ，６）値を有することが所望され得、これは、ＰＲＳ干渉管理とコンフリクトし得る。
【００５０】
[0060]ＰＲＳミュートパターンは、ＰＲＳ送信をミュートすることによって、ＰＲＳの観点から貧弱なＰＣＩＤ計画に対処し得、これによって、同じｍｏｄ（ＰＣＩＤ，６）グループにおける干渉を低減する。ミュートパターン決定は、エリアの基地局暦（ＢＳＡ：base station almanac）を入力し、このエリアにおける各セルのためのミュートパターンを出力する洗練されたアルゴリズム／ツールを使用し得る。より単純なアプローチは、衝突しているセルのために擬似ランダムミュートパターンを使用し得る。しかしながら、可能なミュートパターン選択に関する制約（たとえば、１６ビットに制限された長さ）は、ランダムに発生するシーケンスの生成を阻止し得る。また、ツール／アルゴリズムは、新たに追加／削除されたセルを考慮するために、任意の所与のエリアにおいて周期的に実行され得、ミュートパターンは、ｅノードＢ（ｅＮＢ）とロケーションサーバとの両方において更新され得る。それに加えて、セルのためのミュートシーケンス長さおよびパターンが決定されると、それはｅＮＢ側において構成される。同じ情報が、支援データの一部としてＵＥに送信されるために、ロケーションサーバにおいても存在しなくてはならない。よって、シグナリングオーバヘッドもまた、ミュートシーケンスとともに含まれ得る。
【００５１】
[0061]さらに、干渉を最小化するための制約は、時々、タイムツーフィックス（time-to-fix）のような他のＯＴＤＯＡメトリックとコンフリクトし得る。たとえば、クラスタの同じ周波数オフセットにおけるセルの数が増えると、この周波数オフセットにおける各セルのための（このミュートパターンにおける「１」ビットに対応する）ＯＮ機会の数が減少し、よって、ＵＥのための、所与の時間ウィンドウ内のこのセルを測定するための機会を潜在的に減少させる。
【００５２】
[0062]したがって、ネットワークＰＣＩＤ計画および従来のミュートパターン選択アルゴリズムは、ネットワークにおける近隣セルの干渉管理のためのそれらの有用性に制限され得る。
【００５３】
[0063]本明細書では、ＰＲＳを送信している他の近隣セルに引き起こされた干渉を最小化し、これによって、ヒアアビリティおよび増強されたＯＴＤＯＡ推定を向上させるために、セルのＰＲＳ周波数オフセットおよびミュートパターンのランダム化のための技法および装置が提供される。
【００５４】
周波数領域における例示的なＰＲＳオフセットランダム化
[0064]いくつかの態様に従って、干渉を低減し、ヒアアビリティを向上させるために、ＰＲＳオフセットが、周波数領域においてランダム化され得る。たとえば、セルのためのＰＲＳオフセット係数（たとえば、ｖｓｈｉｆｔ）は、セルＰＣＩＤ（たとえば、ｍｏｄ（ＰＣＩＤ，６）値）に基づくのではなく、乱数に基づき得る。乱数生成器は、ＯＦＤＭシンボルにおける０〜５の周波数トーンの範囲に一様に分散された値を生成し得る。ランダムに生成されたＰＲＳオフセットを使用して、ＰＲＳオフセットは、ＰＲＳサブフレームまたは機会毎に、新たな値へホップし得、言い換えれば、ＰＲＳオフセットは、各ＰＲＳサブフレームまたは機会に、ランダムに生成され得る。
【００５５】
[0065]いくつかの態様に従って、乱数生成器は、スクランブリングコード生成器に類似し得、シードを用いて開始され得る。ＵＥは、シードを知り得、ＵＥが、ＰＲＳ信号を解読する（たとえば、ＰＲＳのための適切なＲＥｓをモニタする）ために、同じパターンを複製することを可能にする。ＵＥは、シードを用いて構成され得るか、または、セルから（たとえば、ＯＴＤＯＡ支援データを介して）シードを受信し得る。乱数は、セルのＰＣＩＤ、システムフレーム番号（ＳＦＮ）、または他のパラメータの関数であり得る。ＳＦＮが周りを囲み（wraps around）、１０２４秒毎にそれ自身を繰り返すので、初期シードを、より長い時間の概念（たとえば、日時）の関数とすることが所望され得る。
【００５６】
[0066]異なるサブフレームにおいてＰＲＳオフセットを周波数ホッピングすることによって、ＰＲＳオフセットは、もはや静的ではなくなり得る。たとえば、所与のセル（たとえば、ＰＣＩＤ  ０）からの第１のサブフレーム（たとえば、ｎ−１）において、ＰＲＳパターンは、（たとえば、乱数生成器から出力された値０〜５のうちの１つに対応する）図５Ｂに例示された６つの周波数オフセットパターンのうちの何れか１つを用いて送信され得る。第２のサブフレーム（たとえば、ｎ）において、ＰＲＳパターンは、（たとえば、乱数生成器から出力された値０〜５のうちの別の１つに対応する）図５Ｂに例示された６つの周波数オフセットパターンのうちの別の１つを用いて送信され得、第３のサブフレーム（たとえば、ｎ＋１）では、ＰＲＳパターンは、（たとえば、乱数生成器から出力された値０〜５のうちのさらに別の１つに対応する）図５Ｂに例示された６つの周波数オフセットパターンのうちのさらに別の１つを用いて送信され得る。たとえば、１つの例示的なシナリオでは、乱数生成器は、各々３つのＰＲＳ機会をカバーする６つのＰＲＳサブフレームについて、４、０、１、３、５、０を出力し得、ここで、各ＰＲＳ機会は、ＮＰＲＳ＝２個のサブフレームを有する。
【００５７】
[0067]２つのセルが常に互いに衝突する訳ではないので、異なる周波数ビン間のこのようなＰＲＳトーンのホッピングは、ヒアアビリティの向上を可能とし得、そして、周波数オフセットのランダム性の特性（randomness property）は、衝突している近隣セルが、平均した時間のパーセンテージ（たとえば、５／６）の間、互いに直交することを可能とする。
【００５８】
時間領域における例示的なミュートパターンランダム化
[0068]いくつかの態様に従って、ＰＲＳミュートは、干渉を低減し、ヒアアビリティを向上させるために、時間領域においてランダム化され得る。いくつかの態様に従って、セルのＰＲＳミュートパターンは、２進法の乱数生成器によって決定され得る。生成された２進法（たとえば、０または１）の乱数は、シードを用いて初期化され得る。シードは、同一の複製を可能にするために、ｅＮＢとＵＥとの両方において（たとえば、構成（configuration）によって、または、シグナリングによって）知られ得る。これは、ＵＥが、所与のセルのＰＲＳ機会のためのミュートシーケンスを複製することと、それに従ってＰＲＳ測定をスケジュールすることとを可能にし得る。たとえば、ＵＥは、ミュートされた機会におけるＰＲＳのための測定をしないことがある。
【００５９】
[0069]いくつかの態様に従って、各セルのためのランダムバイナリシーケンスは、機会におけるＰＲＳ送信のオン／オフ状態（および、ＵＥにおける対応する測定）を決定する。同じシードが、セルとＵＥとの両方において、２進法の乱数生成器のために使用され得るので、ミュートシーケンスは、各セルのためにＵＥに送られた支援データに含まれないことがあり、ミュートシーケンスはまた、ロケーションサーバに含まれないことがある。なぜなら、ミュートシーケンスは、各側（each side）において独立して生成され得るからである。これは、ｅＮＢおよびロケーションサーバにおけるＢＳＡメンテナンスを単純化し得、支援情報のペイロードサイズを低減し得る。いくつかの態様に従って、セルは、ミュートがイネーブルされているか、またはディセーブルされている（disabled）かを示すインジケーション（たとえば、Ｂｏｏｌｅａｎフラグ）をＵＥに（たとえば、ＯＴＤＯＡ支援情報において）送信し得る。
【００６０】
[0070]いくつかの態様に従って、乱数は、セルのＰＣＩＤ、システムフレーム番号（ＳＦＮ）、または他のパラメータの関数として生成され得る。ＳＦＮが周りを囲み、１０２４秒毎にそれ自身を繰り返すので、初期シードを、より長い時間の概念（たとえば、日時）の関数とすることが所望され得る。あるいは、ＬＴＥ物理レイヤに一般的であり、スクランブリング演算のために使用される、長さＭのゴールドシーケンスが使用され得る。
【００６１】
[0071]従来のミュートシーケンスは、繰り返される長さＬ（たとえば、Ｌ＝２、４、８、または１６）を有し得る。しかしながら、いくつかの態様に従って、ミュートシーケンスは、便宜的に長い期間を有するように設計され得、これによって、オンイベントまたはオフイベントが等しく起こり易い実際のランダムなイベントに近づくことを可能にする。例示的なインプリメンテーション（implementation）に従って、５０％デューティサイクル（たとえば、オン期間とオフ期間とが等しい量）のランダムシーケンスは、タイムツーフィックス、機会毎の測定のために利用可能なセルの数、および、再測定のために利用可能なセルの数のような他のパフォーマンスメトリックにおけるインパクトを最小化しながら、ヒアアビリティパフォーマンスを向上させ得る。たとえば、従来のミュートシーケンスは、繰り返される１００１１０１０であり得る一方、本明細書に記載されるミュートパターンランダム化の使用は、０１１００１０１、１０１００１１０を生成し得る。言及したように、利点は、ミュートパターン情報が、ＵＥにセル毎に送信されないことがあり、これが、支援データのペイロードを著しく低減するであろうことと、ロケーションサーバが、データベース内の各セルのためのミュートパターンの複製を有さないことがあることである。
【００６２】
[0072]図６は、本発明の開示に従う例示的な動作６００を例示する。動作６００は、たとえば、基地局（たとえば、図２におけるｅＮＢ１１０）によって実行され得る。動作６００は、６０２おいて、位置決め基準信号（ＰＲＳ）を送信するための時間周波数リソースのセットを決定するために使用される少なくとも１つのパラメータ（たとえば、周波数トーンオフセットまたはミュートシーケンス）をランダムに選択することによって始まり得る。いくつかの態様に従って、パラメータは、（たとえば、ＢＳのＰＣＩＤ、システムフレーム番号、または、日時に基づいて）シード値を用いて初期化された乱数生成器によって生成された値を使用して選択され得る。ＵＥは、ＵＥが、ＵＥの乱数生成器を使用して同じ値を生成できるように、シードを知り得る。たとえば、ＢＳは、ＰＲＳを送信する前にＵＥにシード値を提供し得る。いくつかの態様に従って、シード値は、支援データとともにＵＥに提供され得る。支援データは、１つまたは複数の近隣基地局のリスト、および観測された到着時間差（ＯＴＤＯＡ）支援データを含み得る。
【００６３】
[0073]６０４において、ＢＳは、少なくとも１つのパラメータに少なくとも基づいて、時間周波数リソースのセットを決定し得る。６０６において、ＢＳは、決定された時間周波数リソースのセットにおいてＰＲＳを送信し得る。いくつかの態様に従って、時間周波数リソースのセットは、１つまたは複数のＰＲＳサブフレームの少なくとも１つの直交周波数分割多重（ＯＦＤＭ）シンボルにおいて１つまたは複数の周波数トーンを備える。周波数トーンは、各ＯＦＤＭシンボルにおける固定数のトーンのストライドパターンと、ランダムに生成されたＰＲＳオフセットとに基づいて決定され得る。ＰＲＳオフセットの値は、ストライドパターンのサイズに対応する値のセットからランダムに選択され得る。機会は、ビットのシーケンスを有する、ランダムに生成されたミュートパターンに基づいて決定され得、各ビットは、ＰＲＳが、対応するＰＲＳ機会において送られるか否かを示す。いくつかの態様に従って、ミュートパターンの長さは、ＢＳが、ＰＲＳを、ターゲット値のデューティサイクル（たとえば、５０％）で、一連のＰＲＳ機会によって送信できるように選択され得る。
【００６４】
[0074]図７は、本開示の態様に従う例示的な動作７００を例示する。動作７００は、たとえば、ユーザ機器（たとえば、図２におけるＵＥ１２０）によって実行され得る。動作７００は、７０２において、基地局（ＢＳ）からの位置決め信号（ＰＲＳ）のための測定のために、時間周波数リソースのセットを決定するために使用される少なくとも１つのパラメータ（たとえば、周波数トーンオフセットまたはミュートパターン）をランダムに選択することによって始まり得る。いくつかの態様に従って、パラメータは、（たとえば、ＢＳのＰＣＩＤ、システムフレーム番号、または、日時に基づいて）シード値を用いて初期化された乱数生成器によって生成された値を使用して選択され得る。いくつかの態様に従って、ＢＳは、ＰＲＳを送信する前にＵＥにシード値を提供し得る。あるいは、ＵＥは、シードを用いて構成され得る。いくつかの態様に従って、シード値は、支援データとともにＢＳから受信され得る。支援データは、１つまたは複数の近隣基地局のリスト、および観測された到着時間差（ＯＴＤＯＡ）支援データを含み得る。
【００６５】
[0075]７０４において、ＵＥは、時間周波数リソースのセットにおいてＰＲＳを測定し得る。いくつかの態様に従って、時間周波数リソースのセットは、１つまたは複数のＰＲＳサブフレームの少なくとも１つの直交周波数分割多重（ＯＦＤＭ）シンボルにおいて１つまたは複数の周波数トーンを備える。周波数トーンは、各ＯＦＤＭシンボルにおける固定数のトーンのストライドパターンと、ランダムに生成されたＰＲＳオフセットとに基づいて決定され得る。ＰＲＳオフセットの値は、ストライドパターンのサイズに対応する値のセットからランダムに選択され得る。機会は、ビットのシーケンスを有する、ランダムに生成されたミュートパターンに基づいて決定され得、各ビットは、ＰＲＳが、対応するＰＲＳ機会において送られるか否かを示す。
【００６６】
[0076]いくつかの態様に従って、ＵＥは、１つまたは複数の他のＢＳｓからのＰＲＳから、測定されたＰＲＳの到着時間（ＴＯＡ）差を推定し得る。
【００６７】
[0077]よって、本明細書で提示された態様は、時間および周波数においてＰＲＳをランダム化するための技法を提供する。これは、ヒアアビリティを向上させ、ネットワーク側からのメンテナンスまたは計画のための必要性を排除または低減し得、ネットワークにおける持続的なブラインドスポット／クラスタ（たとえば、干渉）を排除または低減し得る。１つの機会における時間／周波数における衝突（たとえば、干渉）によって、セルが検出からブロックされる場合、時間および周波数におけるランダム化によって、次の機会、すなわち、その後の機会に、再びブロックされることはほとんどありそうもない。
【００６８】
後方互換性
[0078]ＰＲＳ周波数オフセットが、各セルにおいて動的に変更される場合、レガシーＵＥｓは、ＰＲＳを測定できないことがある。いくつかの態様に従って、動的かつレガシーＰＲＳシグナリングは、レガシーと非レガシーとの両方のＵＥｓがＰＲＳを測定することを可能とするために、インタリーブされ得、支援データが適合され得る。図８は、本開示のいくつかの態様に従う、例示的なＰＲＳ送信スケジュール８００を例示する。たとえばＴＰＲＳおよびΔＰＲＳのようなＰＲＳ送信スケジュール８００は、ＩＰＲＳによって決定され得る。図８に図示されるように、レガシーＰＲＳは、レガシーコンフィギュレーションに従って構成され得、サブフレーム８０２において、ΔＰＲＳ１に従うオフセットにおいて送信され得、その後、ＴＰＲＳ１に従ってサブフレーム８０４において再び送信され得る。レガシーパターンは、静的であり、繰り返され得る。本明細書で議論されるように、非レガシーＰＲＳは、ランダム化され得る。たとえば、ＰＲＳは、サブフレーム８０６においてΔＰＲＳ２に従うオフセットにおいて送信され得、その後、ＴＰＲＳ２に従ってサブフレーム８０８において再び送信され得る。しかしながら、たとえば新たなランダムコンフィギュレーションのような各サブフレームまたは機会が、ＰＲＳのために使用され得る。たとえば、ＰＲＳは、その後、ΔＰＲＳ３に従ってサブフレーム８１０において送信され得、その後、ＴＰＲＳ３に従ってサブフレーム８１２において再び送信され得る。レガシーＰＲＳのためのコンフィギュレーションを示すＩＰＲＳを備えた支援データは、ＯＴＤＯＡ支援データにおいてレガシーＵＥに送信され得る一方、ランダムＰＲＳコンフィギュレーションを示す異なるＩＰＲＳは、ＯＴＤＯＡ支援データにおいて、対応する能力を持つＵＥｓのみに送られ得る。ＩＰＲＳによって構成されたＰＲＳ機会の数は、（たとえば、ネットワークによって）構成可能であり得る。
【００６９】
[0079]別のインプリメンテーションでは、セルのサブセットが、レガシーＰＲＳ送信に従って構成され得る一方、セルの別のサブセットが、ランダムな動的ＰＲＳコンフィギュレーションに従って構成され得る。これによって、少なくともいくつかのセルにおけるレガシーＵＥｓは、レガシーＰＲＳコンフィギュレーションを用いて動作可能となり得る。
【００７０】
[0080]本明細書で開示された方法は、記載された方法を達成するための１つまたは複数のステップまたはアクションを備える。方法ステップおよび／またはアクションは、特許請求の範囲から逸脱することなく相互に置換され得る。言い換えると、ステップまたはアクションの特定の順序が指定されていないのであれば、特定のステップおよび／またはアクションの順序および／または使用は、特許請求の範囲から逸脱することなく修正され得る。
【００７１】
[0081]本明細書で使用されるように、用語「決定すること」は、種々様々なアクションを包含する。たとえば、「決定すること（determining）」は、計算すること、コンピューティングすること、処理すること、導出すること、調査すること、ルックアップすること（たとえば、テーブル、データベース、または別のデータ構造内をルックアップすること）、確認すること等を含み得る。また、「決定すること」は、受信すること（たとえば、情報を受信すること）、アクセスすること（たとえば、メモリ内のデータにアクセスすること）等を含み得る。また、「決定すること」は、解決すること、選択すること、選定すること、確立すること等を含み得る。
【００７２】
[0082]本明細書で使用されるように、アイテムのリスト「のうちの少なくとも１つ」と称する句は、単一のメンバ、および、同じメンバの複製を含む、これらアイテムの任意の組合せを称する。例として、「ａ、ｂ、またはｃのうちの少なくとも１つ」は、ａ、ｂ、ｃ、ａ−ｂ、ａ−ｃ、ｂ−ｃ、ａ−ｂ−ｃ、ａａ、ｂｂｂ−ｃ、ａａａ−ｂｂ−ｃｃｃｃ等をカバーすることが意図される。さらに、用語「または」は、排他的な「または」ではなく、包括的な「または」を意味することが意図される。すなわち、別に指定されていない場合、すなわち、文脈から明らかではない場合、「Ｘは、ＡまたはＢを採用する」という句は、自然な包括的な置き換えのうちの何れかを意味することが意図されている。すなわち、「Ｘは、ＡまたはＢを採用する」という句は、以下の事例のうちの何れによっても満足される。Ｘは、Ａを採用する。Ｘは、Ｂを採用する。または、Ｘは、ＡとＢとの両方を採用する。それに加えて、本願および添付された特許請求の範囲で使用されているような冠詞“ａ”および“ａｎ”は、別に指定されていない場合、すなわち、単数形を対象としていることが文脈から明らかではない場合、一般に、「１つまたは複数」を意味するものと解釈されるべきである。
【００７３】
[0083]上述された様々な動作または方法は、対応する機能を実行することが可能な任意の適切な手段によって実行され得る。これら手段は、限定されないが、回路、特定用途向け集積回路（ＡＳＩＣ）、またはプロセッサを含む様々な（１つまたは複数の）ハードウェア構成要素および／または（１つまたは複数の）ソフトウェア構成要素および／または（１つまたは複数の）モジュールを含み得る。一般に、図面に例示された動作が存在する場合、これら動作は、同じ符号を付された対応する相応ミーンズプラスファンクション構成要素を有し得る。
【００７４】
[0084]たとえば、送信するための手段は、送信機（たとえば、図２に図示されるユーザ端末１２０のトランシーバフロントエンド２５４ａ〜２５４ｒ、または、図２に図示されるアクセスポイント１１０のトランシーバフロントエンド２３２ａ〜２３２ｔ）、および／またはアンテナ（たとえば、図２に図示されるユーザ端末１２０のアンテナ２５２ａ〜２５２ｒ、または、図２に図示されるアクセスポイント１１０のアンテナ２３２ａ〜２３２ｔ）を備え得る。受信するための手段は、受信機（たとえば、図２に図示されるユーザ端末１２０のトランシーバフロントエンド２５４ａ〜２５４ｒ、または、図２に図示されるアクセスポイント１１０のトランシーバフロントエンド２３２ａ〜２３４ｔ）、および／またはアンテナ（たとえば、図２に図示されるユーザ端末１２０のアンテナ２５２ａ〜２５２ｒ、または、図２に図示されるアクセスポイント１１０のアンテナ２３２ａ〜２３２ｔ）を備え得る。処理するための手段、決定するための手段、ランダムに選択するための手段、測定のための手段、推定するための手段は、処理システム（たとえば、図２に図示されるアクセスポイント１１０のＴＸ  ＭＩＭＯプロセッサ２３０、スケジュール２４６、受信プロセッサ２３８、コントローラ／プロセッサ２４０、送信プロセッサ２２０、またはこれらの組合せ、または、図２に図示されるユーザ端末１２０のＴＸ  ＭＩＭＯプロセッサ２６６、送信プロセッサ２６４、コントローラ／プロセッサ２８０、受信プロセッサ２５８、またはこれらの組合せ）を備え得る。
【００７５】
[0085]上述された方法の様々な動作は、対応する機能を実行することが可能な任意の適切な手段によって実行され得る。これら手段は、限定されないが、回路、特定用途向け集積回路（ＡＳＩＣ）、またはプロセッサを含む様々な（１つまたは複数の）ハードウェア構成要素および／または（１つまたは複数の）ソフトウェア構成要素および／または（１つまたは複数の）モジュールを含み得る。一般に、図面に例示された動作が存在する場合、これら動作は、同じ符号を付された対応する相応ミーンズプラスファンクション構成要素を有し得る。たとえば、図６および図７において例示された動作６００および動作７００は各々、図６Ａおよび図７Ａにおいて各々例示された手段６００Ａおよび手段７００Ａに対応する。
【００７６】
[0086]ハードウェアでインプリメントされるのであれば、例示的なハードウェア構成は、ワイヤレスノード内の処理システムを備え得る。処理システムは、バスアーキテクチャを用いてインプリメントされ得る。バスは、処理システムの特定の用途および全体的な設計制約に依存して、任意の数の相互接続バスおよびブリッジを含み得る。バスは、プロセッサ、マシン読取可能な媒体、およびバスインターフェースを含む様々な回路をともにリンクし得る。バスインターフェースは、とりわけ、ネットワークアダプタを、バスを介して、処理システムに接続するために使用され得る。ネットワークアダプタは、ＰＨＹレイヤの信号処理機能をインプリメントするために使用され得る。ユーザ端末１２０のケース（図１参照）では、ユーザインターフェース（たとえば、キーパッド、ディスプレイ（たとえば、タッチスクリーン）、マウス、ジョイスティック等）もまた、バスに接続され得る。バスはまた、たとえば、タイミングソース、周辺機器、電圧レギュレータ、および電力管理回路等のような様々な他の回路をリンクし得、それらは、当該技術分野で良く知られているので、さらなる説明はなされない。
【００７７】
[0087]プロセッサは、バスの管理と、マシン読取可能な媒体に記憶されたソフトウェアの実行を含む一般的な処理とを担当し得る。プロセッサは、１つまたは複数の汎用プロセッサおよび／または特別目的プロセッサを用いてインプリメントされ得る。例は、マイクロプロセッサ、マイクロコントローラ、ＤＳＰプロセッサ、および、ソフトウェアを実行することができる他の回路を含む。ソフトウェアは、ソフトウェア、ファームウェア、ミドルウェア、マイクロコード、ハードウェア記述言語、あるいはその他で称されようとも、命令、データ、あるいは、これらの任意の組合せを意味するように広く解釈されるものとする。
【００７８】
[0088]いくつかの態様に従って、このような手段は、（たとえば、ハードウェアにおいて、または、ソフトウェア命令を実行することによって、）様々なアルゴリズムをインプリメントすることによって、対応する機能を実行するように構成された処理システムによってインプリメントされ得る。
【００７９】
[0089]本開示に関連して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタロジック、ディスクリートハードウェア構成要素、または、本明細書に記載された機能を実行するように設計されたこれらの任意の組合せを用いてインプリメントまたは実行され得る。汎用プロセッサは、マイクロプロセッサであり得るが、代替案では、プロセッサは、任意の市販のプロセッサ、コントローラ、マイクロコントローラ、またはステートマシンであり得る。プロセッサはまた、たとえば、ＤＳＰとマイクロプロセッサとの組合せや、複数のマイクロプロセッサ、ＤＳＰコアと連携された１つまたは複数のマイクロプロセッサ、または、任意の他のこのような構成のような、コンピューティングデバイスの組合せとしてインプリメントされ得る。
【００８０】
[0090]本開示に関連して記載された方法またはアルゴリズムのステップは、ハードウェアにおいて直接的に、プロセッサによって実行されるソフトウェアモジュールにおいて、またはこれら２つの組合せにおいて具体化され得る。ソフトウェアモジュールは、当該技術分野において知られているあらゆる形式の記憶媒体に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、相変化メモリ（ＰＣＭ）、レジスタ、ハードディスク、リムーバブルディスク、ＣＤ−ＲＯＭ等を含む。ソフトウェアモジュールは、単一の命令または多くの命令を備え得、いくつかの異なるコードセグメントを介して、異なるプログラム間で、および複数の記憶媒体にわたって、分散され得る。記憶媒体は、プロセッサが記憶媒体から情報を読み取り、記憶媒体に情報を書き込めるように、プロセッサへ結合され得る。あるいは、この記憶媒体は、プロセッサへ統合され得る。
【００８１】
[0091]ソフトウェアまたは命令はまた、送信媒体を介して送信され得る。たとえば、同軸ケーブル、光ファイバケーブル、ツイストペア、デジタル加入者線（ＤＳＬ）、あるいは、たとえば赤外線、無線、およびマイクロ波のようなワイヤレス技術を使用して、ウェブサイト、サーバ、または他の遠隔ソースからソフトウェアが送信される場合、同軸ケーブル、光ファイバケーブル、ツイストペア、ＤＳＬ、あるいは、たとえば赤外線、無線、およびマイクロ波のようなワイヤレス技術が、送信媒体の定義に含まれる。
【００８２】
[0092]よって、いくつかの態様は、本明細書で提示される動作を実行するためのコンピュータプログラム製品を備え得る。たとえば、このようなコンピュータプログラム製品は、記憶された（および／またはエンコードされた）命令を有するコンピュータ読取可能な媒体を備え得、これら命令は、本明細書において記載された動作を実行するために、１つまたは複数のプロセッサによって実行可能である。たとえば、これら命令は、ユーザ端末１２０またはアクセスポイント１１０のプロセッサまたは処理システムによって実行され得、ユーザ端末１２０のメモリ２８２またはアクセスポイント１１０のメモリ２４２に記憶され得る。いくつかの態様の場合、コンピュータプログラム製品は、パッケージングマテリアルを含み得る。
【００８３】
[0093]マシン読取可能な媒体は、複数のソフトウェアモジュールを備え得る。ソフトウェアモジュールは、プロセッサによって実行されるとき、処理システムに、様々な機能を実行させる命令を含む。ソフトウェアモジュールは、送信モジュールおよび受信モジュールを含み得る。各ソフトウェアモジュールは、単一の記憶デバイス内に存在し得るか、または、複数の記憶デバイスにわたって分散され得る。例によれば、ソフトウェアモジュールは、トリガイベントが生じると、ハードドライブからＲＡＭにロードされ得る。ソフトウェアモジュールの実行中、プロセッサは、アクセス速度を増加させるために、命令のうちのいくつかをキャッシュにロードし得る。その後、プロセッサによる実行のために、１つまたは複数のキャッシュラインが、汎用レジスタファイルにロードされ得る。以下に示すソフトウェアモジュールの機能を参照した場合、このような機能は、このソフトウェアモジュールからの命令を実行するとき、プロセッサによってインプリメントされることが理解されるであろう。
【００８４】
[0094]特許請求の範囲は、上記例示された正確な構成および構成要素に限定されないことが理解されるべきである。様々な修正、変更、および変形が、特許請求の範囲から逸脱することなく、上述された方法および装置の配置、動作、および詳細においてなされ得る。
【００８５】
[0095]上述したものが、本開示の態様に向けられているが、本開示の他のおよびさらなる態様が、この基本的な範囲から逸脱することなく考案され得、この範囲は、以下に続く特許請求の範囲によって決定される。
以下に、本願出願の当初の特許請求の範囲に記載された発明を付記する。
［Ｃ１］
基地局（ＢＳ）によるワイヤレス通信のための方法であって、
位置決め基準信号（ＰＲＳ）を送信するための時間周波数リソースのセットを決定するために使用される少なくとも１つのパラメータをランダムに選択することと、
前記少なくとも１つのパラメータに少なくとも基づいて、前記時間周波数リソースのセットを決定することと、
前記決定された時間周波数リソースのセットにおいてＰＲＳを送信することと、
を備える、方法。
［Ｃ２］
前記少なくとも１つのパラメータは、シード値を用いて初期化された乱数生成器によって生成された値を使用してランダムに選択される、Ｃ１に記載の方法。
［Ｃ３］
前記ＰＲＳを送信する前に、ユーザ機器（ＵＥ）に前記シード値を提供することをさらに備える、Ｃ２に記載の方法。
［Ｃ４］
前記シード値は、支援データとともに前記ＵＥに提供され、前記支援データは、１つまたは複数の近隣基地局のリスト、および観測された到着時間差（ＯＴＤＯＡ）支援データを備える、Ｃ３に記載の方法。
［Ｃ５］
前記シード値は、前記ＢＳの物理セルＩＤ（ＰＣＩＤ）、システムフレーム番号、または日時のうちの少なくとも１つに基づく、Ｃ２に記載の方法。
［Ｃ６］
前記時間周波数リソースのセットは、１つまたは複数のＰＲＳサブフレームの少なくとも１つの直交周波数分割多重（ＯＦＤＭ）シンボル期間に、１つまたは複数の周波数トーンを備える、Ｃ１に記載の方法。
［Ｃ７］
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ１に記載の方法。
［Ｃ８］
前記ＰＲＳオフセットの前記値は、前記ストライドパターンのサイズに対応する値のセットからランダムに選択される、Ｃ７に記載の方法。
［Ｃ９］
前記少なくとも１つのパラメータは、ビットのシーケンスを有するミュートパターンを備え、各ビットは、ＰＲＳが、対応するＰＲＳ機会において送られるか否かを示す、
Ｃ１に記載の方法。
［Ｃ１０］
前記ミュートパターンの長さは、前記ＢＳが、ＰＲＳを、ターゲット値のデューティサイクルで、一連のＰＲＳサブフレームによって送信するように選択される、Ｃ９に記載の方法。
［Ｃ１１］
ＰＲＳを送信するための前記時間周波数リソースのセットは、サブフレーム毎またはＰＲＳ機会毎に、異なる時間周波数リソースを備える、Ｃ１に記載の方法。
［Ｃ１２］
ユーザ機器（ＵＥ）によるワイヤレス通信のための方法であって、
基地局（ＢＳ）からの位置決め基準信号（ＰＲＳ）のための測定のために、時間周波数リソースのセットを決定するために使用される少なくとも１つのパラメータをランダムに選択することと、
前記時間周波数リソースのセットにおいて前記ＰＲＳを測定することと、
を備える、方法。
［Ｃ１３］
前記少なくとも１つのパラメータは、シード値を用いて初期化された乱数生成器によって生成された値を使用してランダムに選択される、Ｃ１２に記載の方法。
［Ｃ１４］
前記ＰＲＳを受信する前に、前記ＢＳから前記シード値を受信することをさらに備える、Ｃ１３に記載の方法。
［Ｃ１５］
前記シード値は、支援データとともに受信され、前記支援データは、１つまたは複数の近隣基地局のリスト、および観測された到着時間差（ＯＴＤＯＡ）支援データを備える、Ｃ１３に記載の方法。
［Ｃ１６］
前記シード値は、前記ＢＳの物理セルＩＤ（ＰＣＩＤ）、システムフレーム番号、または日時のうちの少なくとも１つに基づく、Ｃ１３に記載の方法。
［Ｃ１７］
前記時間周波数リソースのセットは、１つまたは複数のＰＲＳサブフレームの少なくとも１つの直交周波数分割多重（ＯＦＤＭ）シンボル期間に、１つまたは複数の周波数トーンを備える、Ｃ１２に記載の方法。
［Ｃ１８］
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ１２に記載の方法。
［Ｃ１９］
前記ＰＲＳオフセットの前記値は、前記ストライドパターンのサイズに対応する値のセットからランダムに選択される、Ｃ１８に記載の方法。
［Ｃ２０］
前記少なくとも１つのパラメータは、ビットのシーケンスを有するミュートパターンを備え、各ビットは、ＰＲＳが、対応するＰＲＳ機会において送られるか否かを示す、
Ｃ１２に記載の方法。
［Ｃ２１］
１つまたは複数の他のＢＳからのＰＲＳから、前記測定されたＰＲＳの到着時間（ＴＯＡ）差を推定すること、
をさらに備える、Ｃ１２に記載の方法。
［Ｃ２２］
ＰＲＳを測定するための前記時間周波数リソースのセットは、サブフレーム毎またはＰＲＳ機会毎に、異なる時間周波数リソースを備える、Ｃ１２に記載の方法。
［Ｃ２３］
ワイヤレス通信のための装置であって、
位置決め基準信号（ＰＲＳ）を送信するための時間周波数リソースのセットを決定するために使用される少なくとも１つのパラメータをランダムに選択するための手段と、
前記少なくとも１つのパラメータに少なくとも基づいて、前記時間周波数リソースのセットを決定するための手段と、
前記決定された時間周波数リソースのセットにおいてＰＲＳを送信するための手段と、
を備える、装置。
［Ｃ２４］
前記少なくとも１つのパラメータは、シード値を用いて初期化された乱数生成器によって生成された値を使用してランダムに選択される、Ｃ２３に記載の装置。
［Ｃ２５］
前記少なくとも１のパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ２３に記載の装置。
［Ｃ２６］
前記少なくとも１つのパラメータは、ビットのシーケンスを有するミュートパターンを備え、各ビットは、ＰＲＳが、対応するＰＲＳ機会において送られるか否かを示す、
Ｃ２３に記載の装置。
［Ｃ２７］
ワイヤレス通信のための装置であって、
基地局（ＢＳ）からの位置決め基準信号（ＰＲＳ）のための測定のために、時間周波数リソースのセットを決定するために使用される少なくとも１つのパラメータをランダムに選択するための手段と、
前記時間周波数リソースのセットにおいてＰＲＳを測定するための手段と、
を備える、装置。
［Ｃ２８］
前記少なくとも１つのパラメータは、シード値を用いて初期化された乱数生成器によって生成された値を使用してランダムに選択される、Ｃ２７に記載の装置。
［Ｃ２９］
前記少なくとも１つのパラメータは、ＰＲＳオフセットを備え、
周波数トーンは、各ＯＦＤＭシンボル期間における固定数の周波数トーンのストライドパターンと、前記ＰＲＳオフセットとに基づいて決定される、
Ｃ２７に記載の装置。
［Ｃ３０］
前記少なくとも１つのパラメータは、ビットのシーケンスを有するミュートパターンを備え、各ビットは、ＰＲＳが、対応するＰＲＳ機会において送られるか否かを示す、
Ｃ２７に記載の装置。
【図１】
0006783750.tif 000002
【図２】
0006783750.tif 000003
【図３】
0006783750.tif 000004
【図４】
0006783750.tif 000005
【図５】
0006783750.tif 000006
【図５Ａ】
0006783750.tif 000007
【図５Ｂ】
0006783750.tif 000008
【図６】
0006783750.tif 000009
【図６Ａ】
0006783750.tif 000010
【図７】
0006783750.tif 000011
【図７Ａ】
0006783750.tif 000012
【図８】
0006783750.tif 000013